(57)【要約】インタラクティブ電子ホワイトボードに基づくタッチ操作方法及びそのシステムは、圧力感知データ、タッチ幅データ及びタッチ座標データ等のタッチ操作データを検出し、所定のアルゴリズムに基づいて該タッチ操作データを対応する制御命令として認識し、インタラクティブ電子ホワイトボードに該制御命令を送信することで、ユーザは各機能ボタンをクリックする必要がなく、インタラクティブ電子ホワイトボードを直接タッチすることで対応する操作を実現することができ、操作の利便性を向上させ、ユーザ体験を向上させることができる。
2019505942.tif 000002
【特許請求の範囲】
【請求項１】
インタラクティブ電子ホワイトボードに基づくタッチ操作方法であって、
インタラクティブ電子ホワイトボードを介してタッチ操作データを受信するステップであって、前記タッチ操作データは、圧力感知データ、タッチ幅データ及びタッチ座標データである、ステップと、
所定のアルゴリズムに基づいて前記タッチ操作データを対応する制御命令として認識するステップと、
前記インタラクティブ電子ホワイトボードに前記制御命令を送信するステップと、を含むことを特徴とするインタラクティブ電子ホワイトボードに基づくタッチ操作方法。
【請求項２】
前記インタラクティブ電子ホワイトボードは、タッチフレームを含み、
前記インタラクティブ電子ホワイトボードを介してタッチ操作データを受信するステップは、
圧力センサにより前記圧力感知データを検出し、前記インタラクティブ電子ホワイトボードに前記圧力感知データを送信し、前記タッチフレームにより前記タッチ幅データ及びタッチ座標データを検出するステップ、を含むことを特徴とする請求項１に記載のインタラクティブ電子ホワイトボードに基づくタッチ操作方法。
【請求項３】
前記所定のアルゴリズムに基づいて前記タッチ操作データを対応する制御命令として認識するステップは、
タッチ座標データが検出されたか否かを判断し、タッチ座標データが検出された場合、圧力感知データが検出されたか否かを判断するステップと、
圧力感知データが検出された場合、書き込み制御命令を出力し、圧力感知データが検出されていない場合、タッチ幅データが検出されたか否かを判断するステップと、
タッチ幅データが検出されており、且つ前記タッチ幅データが所定の閾値よりも大きいた場合、消去制御命令を出力し、タッチ幅データが検出されておらず、或いはタッチ幅データが所定の閾値以下である場合、前記タッチ座標データが所定の範囲内にあるか否かを判断するステップと、
前記タッチ座標データが所定の範囲内にある場合、ページ要素移動制御命令を出力するステップと、
前記タッチ座標データが所定の範囲外である場合、ページ移動制御命令を出力するステップと、を含むことを特徴とする請求項１に記載のインタラクティブ電子ホワイトボードに基づくタッチ操作方法。
【請求項４】
前記制御命令に応答するように前記インタラクティブ電子ホワイトボードを制御するステップ、をさらに含み、
該ステップにおいて、前記インタラクティブ電子ホワイトボードが前記書き込み制御命令に基づいて書き込み動作の応答を行うように制御し、前記インタラクティブ電子ホワイトボードが前記消去制御命令に基づいて消去動作の応答を行うように制御し、前記インタラクティブ電子ホワイトボードが前記ページ要素移動制御命令に基づいてページ要素移動動作の応答を行うように制御し、前記インタラクティブ電子ホワイトボードが前記ページ移動制御命令に基づいてページ移動動作の応答を行うように制御することを特徴とする請求項３に記載のインタラクティブ電子ホワイトボードに基づくタッチ操作方法。
【請求項５】
前記ページ要素移動動作はページ要素の移動、拡大／縮小、及び回転を含み、前記ページ移動動作はページの移動、拡大／縮小、及び回転を含むことを特徴とする請求項４に記載のインタラクティブ電子ホワイトボードに基づくタッチ操作方法。
【請求項６】
インタラクティブ電子ホワイトボードに基づくタッチ操作システムであって、
インタラクティブ電子ホワイトボードを介してタッチ操作データを受信する検出モジュールであって、前記タッチ操作データは、圧力感知データ、タッチ幅データ及びタッチ座標データである、検出モジュールと、
所定のアルゴリズムに基づいて前記タッチ操作データを対応する制御命令として認識する認識モジュールと、
前記インタラクティブ電子ホワイトボードに前記制御命令を送信する制御モジュールと、を含むことを特徴とするインタラクティブ電子ホワイトボードに基づくタッチ操作システム。
【請求項７】
前記インタラクティブ電子ホワイトボードは、タッチフレームを含み、
前記検出モジュールは、
圧力センサにより前記圧力感知データを検出し、前記インタラクティブ電子ホワイトボードに前記圧力感知データを送信し、前記タッチフレームにより前記タッチ幅データ及びタッチ座標データを検出する検出サブモジュール、を含むことを特徴とする請求項１に記載のインタラクティブ電子ホワイトボードに基づくタッチ操作システム。
【請求項８】
前記認識モジュールは、
タッチ座標データが検出されたか否かを判断し、タッチ座標データが検出された場合、圧力感知データが検出されたか否かを判断する判断サブモジュールと、
圧力感知データが検出された場合、書き込み制御命令を出力し、圧力感知データが検出されていない場合、タッチ幅データが検出されたか否かを判断する第１命令出力サブモジュールと、
タッチ幅データが検出されており、且つ前記タッチ幅データが所定の閾値よりも大きいた場合、消去制御命令を出力し、タッチ幅データが検出されておらず、或いはタッチ幅データが所定の閾値以下である場合、前記タッチ座標データが所定の範囲内にあるか否かを判断する第２命令出力サブモジュールと、
前記タッチ座標データが所定の範囲内にある場合、ページ要素移動制御命令を出力する第３命令出力サブモジュールと、
前記タッチ座標データが所定の範囲外である場合、ページ移動制御命令を出力する第４命令出力サブモジュールと、を含むことを特徴とする請求項１に記載のインタラクティブ電子ホワイトボードに基づくタッチ操作システム。
【請求項９】
前記インタラクティブ電子ホワイトボードが前記書き込み制御命令に基づいて書き込み動作の応答を行うように制御し、前記インタラクティブ電子ホワイトボードが前記消去制御命令に基づいて消去動作の応答を行うように制御し、前記インタラクティブ電子ホワイトボードが前記ページ要素移動制御命令に基づいてページ要素移動動作の応答を行うように制御し、前記インタラクティブ電子ホワイトボードが前記ページ移動制御命令に基づいてページ移動動作の応答を行うように制御する応答モジュール、をさらに含むことを特徴とする請求項６に記載のインタラクティブ電子ホワイトボードに基づくタッチ操作システム。
【請求項１０】
前記ページ要素移動動作はページ要素の移動、拡大／縮小、及び回転を含み、前記ページ移動動作はページの移動、拡大／縮小、及び回転を含むことを特徴とする請求項９に記載のインタラクティブ電子ホワイトボードに基づくタッチ操作システム。
【発明の詳細な説明】
【技術分野】
【０００１】
本発明は、電子ホワイトボードの技術分野に関し、特にインタラクティブ電子ホワイトボードに基づくタッチ操作方法及びそのシステムに関する。
【背景技術】
【０００２】
インタラクティブ電子ホワイトボード（ｉｎｔｅｒａｃｔｉｖｅ  ｅｌｅｃｔｒｏｎｉｃ  ｗｈｉｔｅｂｏａｒｄ）は、コンピュータと情報の通信を行うことができ、電子ホワイトボードをコンピュータに接続し、プロジェクタを用いてコンピュータにおけるコンテンツを電子ホワイトボードのスクリーンに投影し、専用のアプリケーションプログラムのサポートにより、大画面であり、且つインタラクティブな共同会議又は教育環境を構築することができる。マウスの代わりに特定の位置決めペンを用いてホワイトボードにおいて操作を行うことで、アプリケーションプログラムを実行することができ、ファイルの編集、注釈付け、保存などキーボード及びマウスを用いるコンピュータで実現可能な操作を行うことができる。
【０００３】
電子ホワイトボードでは、最も一般的に使用される４つの機能は書き込み、消去、ページ移動、及びページ要素移動である。従来の方法では、電子ホワイトボードは、通常、ユーザが４つの異なる機能的状態を手動で切り替えるように、４つの対応するタッチボタンを提供する。しかし、この方法では、ユーザは電子ホワイトボードを使用する際にこの４つのボタンを頻繁にクリックする必要があるため、操作が不便であり、ユーザ体験の円滑性が十分ではない。
【発明の概要】
【発明が解決しようとする課題】
【０００４】
本発明は、従来技術の上記の問題点を鑑み、操作の手順を減らすことで、操作の利便性を向上させ、ユーザ体験を向上させることができるインタラクティブ電子ホワイトボードに基づくタッチ操作方法及びそのシステムを提供する。
【課題を解決するための手段】
【０００５】
本発明の１つの態様では、インタラクティブ電子ホワイトボードに基づくタッチ操作方法であって、インタラクティブ電子ホワイトボードを介してタッチ操作データを受信するステップであって、前記タッチ操作データは、圧力感知データ、タッチ幅データ及びタッチ座標データである、ステップと、所定のアルゴリズムに基づいて前記タッチ操作データを対応する制御命令として認識するステップと、前記インタラクティブ電子ホワイトボードに前記制御命令を送信するステップと、を含むことを特徴とするインタラクティブ電子ホワイトボードに基づくタッチ操作方法を提供する。
【０００６】
本発明のもう１つの態様では、インタラクティブ電子ホワイトボードに基づくタッチ操作システムであって、インタラクティブ電子ホワイトボードを介してタッチ操作データを受信する検出モジュールであって、前記タッチ操作データは、圧力感知データ、タッチ幅データ及びタッチ座標データである、検出モジュールと、所定のアルゴリズムに基づいて前記タッチ操作データを対応する制御命令として認識する認識モジュールと、前記インタラクティブ電子ホワイトボードに前記制御命令を送信する制御モジュールと、を含むことを特徴とするインタラクティブ電子ホワイトボードに基づくタッチ操作システムを提供する。
【０００７】
本発明の方法及びそのシステムは、圧力感知データ、タッチ幅データ及びタッチ座標データ等のタッチ操作データを検出し、所定のアルゴリズムに基づいて該タッチ操作データを対応する制御命令として認識し、インタラクティブ電子ホワイトボードに該制御命令を送信することで、ユーザは各機能ボタンをクリックする必要がなく、インタラクティブ電子ホワイトボードを直接タッチすることで対応する操作を実現することができ、操作の利便性を向上させ、ユーザ体験を向上させることができる。
【図面の簡単な説明】
【０００８】
【図１】１つの実施例のインタラクティブ電子ホワイトボードに基づくタッチ操作方法を示すフローチャートである。
【図２】１つの好ましい態様のインタラクティブ電子ホワイトボードに基づくタッチ操作方法のアルゴリズムを示すフローチャートである。
【図３】１つの実施例のインタラクティブ電子ホワイトボードに基づくタッチ操作システムの構成を示す図である。
【発明を実施するための形態】
【０００９】
本発明の目的、態様及び利点をより明確にするため、以下は図面を参照しながら本発明をより詳細に説明する。
【００１０】
図１は１つの実施例のインタラクティブ電子ホワイトボードに基づくタッチ操作方法を示すフローチャートであり、図１に示すように、該方法はステップＳ１０１〜ステップＳ１０３を含む。
【００１１】
ステップＳ１０１：インタラクティブ電子ホワイトボードを介してタッチ操作データを受信し、該タッチ操作データは、圧力感知データ、タッチ幅データ及びタッチ座標データである。
【００１２】
ここで、該圧力感知データは、タッチ圧力が所定の圧力値に達した場合の圧力である。該タッチ幅データは、タッチパネルにおいて同時にタッチされた点の座標のうち、任意の２点の座標間の最大距離である。該タッチ座標データは、タッチポイントの座標が所定範囲内にある場合の座標値である。
【００１３】
また、該インタラクティブ電子ホワイトボードはタッチフレームを含み、圧力センサにより該圧力感知データを検出し、該インタラクティブ電子ホワイトボードに該圧力感知データを送信し、該タッチフレームにより該タッチ幅データ及びタッチ座標データを検出する。ここで、該圧力センサは、圧力感知ペン（感圧ペン）又は圧力感知パネル（感圧パネル）等の圧力データを検出可能なセンサであってもよい。圧力センサにより圧力の大きさを感知し、インタラクティブ電子ホワイトボードに圧力データを無線で伝送する。
【００１４】
例えば、圧力感知ペンの先端の圧力センサにより圧力感知データを検出し、電子ホワイトボードにおけるタッチフレームによりタッチ幅データ及びタッチ座標データを検出してもよく、この３つのデータは、タッチ動作のタッチ圧力、タッチ面積及びタッチポイントの移動などの情報にそれぞれ対応する。
【００１５】
ステップＳ１０２：所定のアルゴリズムに基づいて、該タッチ操作データを、対応する制御命令として認識する。
【００１６】
所定のアルゴリズムにより、ステップＳ１０１において検出された圧力感知データ、タッチ幅データ及びタッチ座標データを、対応する制御命令として認識することで、電子ホワイトボードは各機能ボタンをクリックする必要がなく、異なるタッチ操作データに基づいて対応する制御命令を生成することができ、操作の手順を減らすことができる。
【００１７】
また、ステップＳ１０２は、以下の方式により実現されてもよい。タッチ座標データが検出されたか否かを判断し、タッチ座標データが検出された場合、圧力感知データが検出されたか否かを判断する。圧力感知データが検出された場合、書き込み制御命令を出力し、圧力感知データが検出されていない場合、タッチ幅データが検出されたか否かを判断する。  タッチ幅データが検出されており、且つ該タッチ幅データが所定の閾値よりも大きいた場合、消去制御命令を出力し、タッチ幅データが検出されておらず、或いはタッチ幅データが所定の閾値以下である場合、該タッチ座標データが所定の範囲内にあるか否かを判断する。該タッチ座標データが所定の範囲内にある場合、ページ要素移動制御命令を出力する。該タッチ座標データが所定の範囲外である場合、ページ移動制御命令を出力する。
【００１８】
ステップＳ１０３：インタラクティブ電子ホワイトボードに該制御命令を送信する。
【００１９】
本ステップは、インタラクティブ電子ホワイトボードに各制御命令を送信し、インタラクティブ電子ホワイトボードで対応する操作を実現することで、ユーザは各機能ボタンをクリックする必要がなく、対応する操作モードに移行して対応する操作を完了することができ、操作の利便性を向上させ、ユーザ体験を向上させることができる。
【００２０】
また、ステップＳ１０３の後に、該制御命令に応答するように該インタラクティブ電子ホワイトボードを制御するステップをさらに含む。該ステップにおいて、該インタラクティブ電子ホワイトボードが該書き込み制御命令に基づいて書き込み動作の応答を行うように制御し、該インタラクティブ電子ホワイトボードが該消去制御命令に基づいて消去動作の応答を行うように制御し、該インタラクティブ電子ホワイトボードが該ページ要素移動制御命令に基づいてページ要素移動動作の応答を行うように制御し、該インタラクティブ電子ホワイトボードが該ページ移動制御命令に基づいてページ移動動作の応答を行うように制御する。
【００２１】
ここで、該ページ要素移動動作は、ページ要素の移動、拡大／縮小、及び回転を含む。該ページ移動動作は、ページの移動、拡大／縮小、及び回転を含む。該書き込み動作の応答によりインタラクティブ電子ホワイトボードが書き込みモードに移行し、該消去動作の応答によりインタラクティブ電子ホワイトボードが消去モードに移行し、該ページ移動動作の応答によりインタラクティブ電子ホワイトボードがページモードに移行し、該ページ要素移動動作の応答によりインタラクティブ電子ホワイトボードが前記ページ要素モードに移行する。本ステップは、各制御命令に応答することで、ユーザのタッチ操作により対応する操作モードに直接移行することができ、操作の利便性をより向上させることができる。
【００２２】
また、ステップＳ１０３の後に、該制御命令を記憶し、タッチ操作データが検出された場合、該タッチ操作データに対応する制御命令を応答するステップをさらに含む。該制御命令を記憶し、タッチ操作データが検出された場合、該タッチ操作データに対応する制御命令を直接応答することで、操作の応答時間を短縮でき、操作の円滑性を向上させることができる。
【００２３】
本実施例では、圧力感知データ、タッチ幅データ及びタッチ座標データ等のタッチ操作データを検出し、所定のアルゴリズムに基づいて該タッチ操作データを対応する制御命令として認識し、インタラクティブ電子ホワイトボードに該制御命令を送信することで、ユーザは各機能ボタンをクリックする必要がなく、インタラクティブ電子ホワイトボードを直接タッチすることで対応する操作を実現することができ、操作の利便性を向上させ、ユーザ体験を向上させることができる。
【００２４】
以下は本発明のインタラクティブ電子ホワイトボードに基づくタッチ操作方法の１つの好ましい態様を説明し、該方法はステップ１〜ステップ４を含む。
【００２５】
ステップ１：圧力感知ペンの先端により電子ホワイトボード上で書き込む。
【００２６】
ステップ２：ペンの先端の圧力センサにより圧力感知データを検出し、電子ホワイトボードのタッチフレームによりタッチ幅データ及びタッチ座標データを検出する。この３つのデータは、ユーザのタッチ動作のタッチ圧力、タッチ面積及びタッチポイントの移動などの情報をそれぞれ反映する。
【００２７】
ステップ３：検出された圧力感知データ、タッチ幅データ及びタッチ座標データに基づいて、所定のアルゴリズムにより、ユーザが実際に行った操作（書き込み、消去、ページ要素移動及びページ移動など）を判断する。そして、ソフトウェアＵＩ（Ｕｓｅｒ  Ｉｎｔｅｒｆａｃｅ：ユーザインターフェイス）インタラクション層に計算結果を渡す。
【００２８】
具体的には、下記のアルゴリズムに基づいて、圧力感知データ、タッチ幅データ及びタッチ座標データを、ユーザの所望する操作命令として統合、認識する。図２は１つの好ましい態様のインタラクティブ電子ホワイトボードに基づくタッチ操作方法のアルゴリズムを示すフローチャートである。図２に示すように、タッチ座標データが検出されたか否かを判断し、タッチ座標データが検出された場合、圧力感知データが検出されたか否かを判断し、圧力感知データが検出された場合、書き込み制御命令を出力し、圧力感知データが検出されていない場合、タッチ幅データが検出されたか否かを判断し、タッチ幅データが検出されており、且つ該タッチ幅データが所定の閾値よりも大きいた場合、消去制御命令を出力し、タッチ幅データが検出されておらず、或いはタッチ幅データが所定の閾値以下である場合、該タッチ座標データが所定の範囲内にあるか否かを判断し、該タッチ座標データが所定の範囲内にある場合、ページ要素移動制御命令を出力し、該タッチ座標データが所定の範囲外である場合、ページ移動制御命令を出力する。このアルゴリズムによれば、出力操作命令（書き込み、消去、ページ要素移動及びページ移動のうち１つ）を出力できる。なお、該アルゴリズムでは、タッチ座標データが検出されたか否かの判断の後に、圧力感知データが検出されたか否かの判断、タッチ幅データが検出されたか否かの判断、及びタッチ座標データが所定の範囲内にあるか否かの判断は、判断の効率を向上するように、並行して行われてもよい。
【００２９】
ステップ４：ソフトウェアＵＩインタラクション層は、出力された制御命令を受信し、ユーザの操作に応答する。具体的には、該インタラクティブ電子ホワイトボードが該書き込み制御命令に基づいて書き込み動作の応答を行うように制御し、該インタラクティブ電子ホワイトボードが該消去制御命令に基づいて消去動作の応答を行うように制御し、該インタラクティブ電子ホワイトボードが該ページ要素移動制御命令に基づいてページ要素移動動作の応答を行うように制御し、該インタラクティブ電子ホワイトボードが該ページ移動制御命令に基づいてページ移動動作の応答を行うように制御する。例えば、電子ペンでパネルに書き込む場合は、電子ホワイトボードが書き込みモードに移行し、ユーザがパネルに直接書き込むことができ、ユーザが指でパネルに触る場合は、電子ホワイトボードがページモード又はページ要素モードに移行し、ユーザがページ又はその中の単一のページ要素を移動、拡大／縮小、回転させることができ、ユーザが掌でパネルに触る場合は、電子ホワイトボードが消去モードに移行し、ユーザがパネル上で書き込んだものを直接消去することができる。
【００３０】
上述したように、本発明の方法は、圧力感知データ、タッチ幅データ及びタッチ座標データ等のタッチ操作データを検出し、所定のアルゴリズムに基づいて該タッチ操作データを対応する制御命令として認識し、インタラクティブ電子ホワイトボードに該制御命令を送信することで、ユーザは各機能ボタンをクリックする必要がなく、インタラクティブ電子ホワイトボードを直接タッチすることで対応する操作を実現することができ、操作の利便性を向上させ、ユーザ体験を向上させることができる。
【００３１】
本発明はインタラクティブ電子ホワイトボードに基づくタッチ操作システムをさらに提供し、図３は１つの実施例のインタラクティブ電子ホワイトボードに基づくタッチ操作システムの構成を示す図である。図３に示すように、該システムは、検出モジュール３０１、認識モジュール３０２及び制御モジュール３０３を含む。
【００３２】
検出モジュール３０１は、インタラクティブ電子ホワイトボードを介してタッチ操作データを受信する。該タッチ操作データは、圧力感知データ、タッチ幅データ及びタッチ座標データである。認識モジュール３０２は、所定のアルゴリズムに基づいて、該タッチ操作データを、対応する制御命令として認識する。制御モジュール３０３は、インタラクティブ電子ホワイトボードに該制御命令を送信する。
【００３３】
本実施例では、圧力感知データ、タッチ幅データ及びタッチ座標データ等のタッチ操作データを検出し、所定のアルゴリズムに基づいて該タッチ操作データを対応する制御命令として認識し、インタラクティブ電子ホワイトボードに該制御命令を送信することで、ユーザは各機能ボタンをクリックする必要がなく、インタラクティブ電子ホワイトボードを直接タッチすることで対応する操作を実現することができ、操作の利便性を向上させ、ユーザ体験を向上させることができる。
【００３４】
１つの態様では、該インタラクティブ電子ホワイトボードは、タッチフレームを含み、検出モジュール３０１は、圧力センサにより該圧力感知データを検出し、該インタラクティブ電子ホワイトボードに該圧力感知データを送信し、該タッチフレームにより該タッチ幅データ及びタッチ座標データを検出する検出サブモジュールを含む。
【００３５】
１つの態様では、認識モジュール３０２は、タッチ座標データが検出されたか否かを判断し、タッチ座標データが検出された場合、圧力感知データが検出されたか否かを判断する判断サブモジュールと、圧力感知データが検出された場合、書き込み制御命令を出力し、圧力感知データが検出されていない場合、タッチ幅データが検出されたか否かを判断する第１命令出力サブモジュールと、タッチ幅データが検出されており、且つ該タッチ幅データが所定の閾値よりも大きいた場合、消去制御命令を出力し、タッチ幅データが検出されておらず、或いはタッチ幅データが所定の閾値以下である場合、該タッチ座標データが所定の範囲内にあるか否かを判断する第２命令出力サブモジュールと、該タッチ座標データが所定の範囲内にある場合、ページ要素移動制御命令を出力する第３命令出力サブモジュールと、該タッチ座標データが所定の範囲外である場合、ページ移動制御命令を出力する第４命令出力サブモジュールとを含む。
【００３６】
１つの態様では、該インタラクティブ電子ホワイトボードに基づくタッチ操作システムは、該インタラクティブ電子ホワイトボードが該書き込み制御命令に基づいて書き込み動作の応答を行うように制御し、該インタラクティブ電子ホワイトボードが該消去制御命令に基づいて消去動作の応答を行うように制御し、該インタラクティブ電子ホワイトボードが該ページ要素移動制御命令に基づいてページ要素移動動作の応答を行うように制御し、該インタラクティブ電子ホワイトボードが該ページ移動制御命令に基づいてページ移動動作の応答を行うように制御する応答モジュールをさらに含む。ここで、該ページ要素移動動作はページ要素の移動、拡大／縮小、及び回転を含み、該ページ移動動作はページの移動、拡大／縮小、及び回転を含む。
【００３７】
１つの態様では、該インタラクティブ電子ホワイトボードに基づくタッチ操作システムは、該制御命令を記憶し、タッチ操作データが検出された場合、該タッチ操作データに対応する制御命令を応答する記憶モジュールをさらに含む。該記憶モジュールによれば、操作の応答時間を短縮でき、操作の円滑性を向上させることができる。
【００３８】
上述した各実施例の各技術的特徴を任意に組み合わせてもよく、簡潔に説明するために、上述した各実施例の各技術的特徴の全ての可能な組み合わせを説明していないが、これらの技術的特徴の組み合せに矛盾がない限り、これらの組み合わせは全て本明細書に記載された範囲に属する。
【００３９】
以上、具体的な実施形態を参照しながら本発明を説明しているが、上記の説明は、例示的なものに過ぎず、本発明の特許の範囲を限定するものではない。なお、当業者にとって、本発明の趣旨を離脱しない限り、本発明に対して各種の変形及び改良を行ってもよく、これらの変形及び修正も本発明の範囲に属する。よって、本発明の特許の保護範囲は、添付する特許請求の範囲に依るものである。
【図１】
2019505942.tif 000003
【図２】
2019505942.tif 000004
【図３】
2019505942.tif 000005
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
インタラクティブ電子ホワイトボードに基づくタッチ操作方法であって、
インタラクティブ電子ホワイトボードを介してタッチ操作データを受信するステップであって、前記タッチ操作データは、圧力感知データ、タッチ幅データ及びタッチ座標データである、ステップと、
所定のアルゴリズムに基づいて前記タッチ操作データを対応する制御命令として認識するステップと、
前記インタラクティブ電子ホワイトボードに前記制御命令を送信するステップと、を含むことを特徴とするインタラクティブ電子ホワイトボードに基づくタッチ操作方法。
【請求項２】
前記インタラクティブ電子ホワイトボードは、タッチフレームを含み、
前記インタラクティブ電子ホワイトボードを介してタッチ操作データを受信するステップは、
圧力センサにより前記圧力感知データを検出し、前記インタラクティブ電子ホワイトボードに前記圧力感知データを送信し、前記タッチフレームにより前記タッチ幅データ及びタッチ座標データを検出するステップ、を含むことを特徴とする請求項１に記載のインタラクティブ電子ホワイトボードに基づくタッチ操作方法。
【請求項３】
前記所定のアルゴリズムに基づいて前記タッチ操作データを対応する制御命令として認識するステップは、
タッチ座標データが検出されたか否かを判断し、タッチ座標データが検出された場合、圧力感知データが検出されたか否かを判断するステップと、
圧力感知データが検出された場合、書き込み制御命令を出力し、圧力感知データが検出されていない場合、タッチ幅データが検出されたか否かを判断するステップと、
タッチ幅データが検出されており、且つ前記タッチ幅データが所定の閾値よりも大きいた場合、消去制御命令を出力し、タッチ幅データが検出されておらず、或いはタッチ幅データが所定の閾値以下である場合、前記タッチ座標データが所定の範囲内にあるか否かを判断するステップと、
前記タッチ座標データが所定の範囲内にある場合、ページ要素移動制御命令を出力するステップと、
前記タッチ座標データが所定の範囲外である場合、ページ移動制御命令を出力するステップと、を含むことを特徴とする請求項１又は２に記載のインタラクティブ電子ホワイトボードに基づくタッチ操作方法。
【請求項４】
前記制御命令に応答するように前記インタラクティブ電子ホワイトボードを制御するステップ、をさらに含み、
該ステップにおいて、前記インタラクティブ電子ホワイトボードが前記書き込み制御命令に基づいて書き込み動作の応答を行うように制御し、前記インタラクティブ電子ホワイトボードが前記消去制御命令に基づいて消去動作の応答を行うように制御し、前記インタラクティブ電子ホワイトボードが前記ページ要素移動制御命令に基づいてページ要素移動動作の応答を行うように制御し、前記インタラクティブ電子ホワイトボードが前記ページ移動制御命令に基づいてページ移動動作の応答を行うように制御することを特徴とする請求項３に記載のインタラクティブ電子ホワイトボードに基づくタッチ操作方法。
【請求項５】
前記ページ要素移動動作はページ要素の移動、拡大／縮小、及び回転を含み、前記ページ移動動作はページの移動、拡大／縮小、及び回転を含むことを特徴とする請求項４に記載のインタラクティブ電子ホワイトボードに基づくタッチ操作方法。
【請求項６】
インタラクティブ電子ホワイトボードに基づくタッチ操作システムであって、
インタラクティブ電子ホワイトボードを介してタッチ操作データを受信する検出モジュールであって、前記タッチ操作データは、圧力感知データ、タッチ幅データ及びタッチ座標データである、検出モジュールと、
所定のアルゴリズムに基づいて前記タッチ操作データを対応する制御命令として認識する認識モジュールと、
前記インタラクティブ電子ホワイトボードに前記制御命令を送信する制御モジュールと、を含むことを特徴とするインタラクティブ電子ホワイトボードに基づくタッチ操作システム。
【請求項７】
前記インタラクティブ電子ホワイトボードは、タッチフレームを含み、
前記検出モジュールは、
圧力センサにより前記圧力感知データを検出し、前記インタラクティブ電子ホワイトボードに前記圧力感知データを送信し、前記タッチフレームにより前記タッチ幅データ及びタッチ座標データを検出する検出サブモジュール、を含むことを特徴とする請求項６に記載のインタラクティブ電子ホワイトボードに基づくタッチ操作システム。
【請求項８】
前記認識モジュールは、
タッチ座標データが検出されたか否かを判断し、タッチ座標データが検出された場合、圧力感知データが検出されたか否かを判断する判断サブモジュールと、
圧力感知データが検出された場合、書き込み制御命令を出力し、圧力感知データが検出されていない場合、タッチ幅データが検出されたか否かを判断する第１命令出力サブモジュールと、
タッチ幅データが検出されており、且つ前記タッチ幅データが所定の閾値よりも大きいた場合、消去制御命令を出力し、タッチ幅データが検出されておらず、或いはタッチ幅データが所定の閾値以下である場合、前記タッチ座標データが所定の範囲内にあるか否かを判断する第２命令出力サブモジュールと、
前記タッチ座標データが所定の範囲内にある場合、ページ要素移動制御命令を出力する第３命令出力サブモジュールと、
前記タッチ座標データが所定の範囲外である場合、ページ移動制御命令を出力する第４命令出力サブモジュールと、を含むことを特徴とする請求項６又は７に記載のインタラクティブ電子ホワイトボードに基づくタッチ操作システム。
【請求項９】
前記インタラクティブ電子ホワイトボードが前記書き込み制御命令に基づいて書き込み動作の応答を行うように制御し、前記インタラクティブ電子ホワイトボードが前記消去制御命令に基づいて消去動作の応答を行うように制御し、前記インタラクティブ電子ホワイトボードが前記ページ要素移動制御命令に基づいてページ要素移動動作の応答を行うように制御し、前記インタラクティブ電子ホワイトボードが前記ページ移動制御命令に基づいてページ移動動作の応答を行うように制御する応答モジュール、をさらに含むことを特徴とする請求項８に記載のインタラクティブ電子ホワイトボードに基づくタッチ操作システム。
【請求項１０】
前記ページ要素移動動作はページ要素の移動、拡大／縮小、及び回転を含み、前記ページ移動動作はページの移動、拡大／縮小、及び回転を含むことを特徴とする請求項９に記載のインタラクティブ電子ホワイトボードに基づくタッチ操作システム。
【国際調査報告】
2019505942.tif 000006
2019505942.tif 000007
2019505942.tif 000008
2019505942.tif 000009